(57)【要約】【課題】  外部からの衝撃を吸収することができるケース構造を提供する。【解決手段】  貫通孔７を有する本体ケース４と、この本体ケース４の上部に配置される上部外装部材５と、本体ケース４の下部に配置される裏蓋６と、本体ケース４の貫通孔７内に配置され、かつ内部に雌ねじ部１０ａが設けられたねじパイプ１０と、このねじパイプ１０と本体ケース４の貫通孔７との間に配置された緩衝部材１５と、ねじパイプ１０の雌ねじ部１０ａに螺合して上部外装部材５を本体ケース４に固定する第１ねじ部材２０と、ねじパイプ１０の雌ねじ部１０ａに螺合して裏蓋６を本体ケース４に固定する第２ねじ部材２２とを備えている。従って、上部外装部材５および裏蓋６が外部から衝撃を受けた際に、その衝撃が第１、第２の各ねじ部材２０、２２を介してねじパイプ１０に伝わっても、このねじパイプ１０に伝わった衝撃を緩衝部材１５によって吸収できる。【選択図】        図２
2014153190.tif 000002
【特許請求の範囲】
【請求項１】
貫通孔を有する本体ケースと、
この本体ケースの上部に配置され、かつ前記貫通孔に対応する第１挿入孔を有する第１部材と、
前記本体ケースの下部に配置され、かつ前記貫通孔に対応する第２挿入孔を有する第２部材と、
前記本体ケースの前記貫通孔内に配置され、かつ内部にねじ孔が設けられた筒状ねじ部材と、
この筒状ねじ部材の外周面と前記本体ケースの前記貫通孔の内周面との間に配置された緩衝部材と、
前記筒状ねじ部材に上側から螺合して前記第１部材を前記本体ケースに対して固定する第１ねじ部材と、
前記筒状ねじ部材に下側から螺合して前記第２部材を前記本体ケースに対して固定する第２ねじ部材と
を備えていることを特徴とするケース構造。
【請求項２】
請求項１に記載のケース構造において、前記筒状ねじ部材は、前記本体ケースの前記貫通孔の縁部に設けられた係止部に係止される回転止め部を備えていることを特徴とするケース構造。
【請求項３】
請求項１または請求項２に記載のケース構造において、前記筒状ねじ部材は、前記本体ケースの前記貫通孔内に挿入するパイプ部と、このパイプ部の上端部に設けられて前記本体ケースの上面に当接する頭部とを備えていることを特徴とするケース構造。
【請求項４】
請求項１〜請求項３のいずれかに記載のケース構造において、前記第１ねじ部材は、前記筒状ねじ部材の前記ねじ孔に螺合するねじ部と、前記筒状ねじ部材の上端部に当接する首部と、前記第１部材の上面に当接する頭部とを有していることを特徴とするケース構造。
【請求項５】
請求項１〜請求項４のいずれかに記載のケース構造において、前記第１部材は、金属製の第１ベゼルと合成樹脂製の第２ベゼルとを備えていることを特徴とするケース構造。
【請求項６】
請求項１〜請求項５のいずれかに記載のケース構造において、前記第１部材は、第１緩衝部材を備えていることを特徴とするケース構造。
【請求項７】
請求項１〜請求項６のいずれかに記載のケース構造において、前記本体ケースと前記第２部材との間には、第２緩衝部材が配置されていることを特徴とするケース構造。
【発明の詳細な説明】
【技術分野】
【０００１】
この発明は、時計などの電子機器の機器ケースに用いられるケース構造に関する。
【背景技術】
【０００２】
例えば、表示装置などの機器ケースにおいては、特許文献１に記載されているように、フロントケースとリアケースとを備え、フロントケースとリアケースとを第１ねじ部材で接合すると共に、リアケースの裏面に裏板を第２ねじ部材で固定するように構成されたものが知られている。
【先行技術文献】
【特許文献】
【０００３】
【特許文献１】特開２００７−２６４２０１号公報
【０００４】
このような機器ケースは、フロントケースにねじ挿入孔を有する第１ボス部が設けられ、リアケースにねじ孔を有する第２ボス部がフロントケースの第１ボス部に対応して設けられ、裏板にねじ挿入孔が第２ボス部に対応して設けられた構成になっている。
【０００５】
このような機器ケースは、第１ボス部に第１ねじ部材を挿入させて第２ボス部に螺合させることにより、フロントケースとリアケースとを接合し、リアケースの裏面に配置された裏板のねじ挿入孔に第２ねじ部材を挿入させて第２ボス部に螺合させることにより、リアケースに裏板を接合するように構成されている。
【発明の概要】
【発明が解決しようとする課題】
【０００６】
しかしながら、このような機器ケースでは、フロントケースとリアケースとを第１ねじ部材で直接接合し、リアケースに裏板を第２ねじ部材で直接接合しているので、フロントケース、リアケース、および裏板のいずれかが衝撃を受けると、その衝撃がフロントケース、リアケース、および裏板に直接伝わり、機器ケース内の電子部品が破損する恐れがあるという問題がある。
【０００７】
この発明が解決しようとする課題は、外部からの衝撃を吸収することができるケース構造を提供することである。
【課題を解決するための手段】
【０００８】
この発明は、貫通孔を有する本体ケースと、この本体ケースの上部に配置され、かつ前記貫通孔に対応する第１挿入孔を有する第１部材と、前記本体ケースの下部に配置され、かつ前記貫通孔に対応する第２挿入孔を有する第２部材と、前記本体ケースの前記貫通孔内に配置され、かつ内部にねじ孔が設けられた筒状ねじ部材と、この筒状ねじ部材の外周面と前記本体ケースの前記貫通孔の内周面との間に配置された緩衝部材と、前記筒状ねじ部材に上側から螺合して前記第１部材を前記本体ケースに対して固定する第１ねじ部材と、前記筒状ねじ部材に下側から螺合して前記第２部材を前記本体ケースに対して固定する第２ねじ部材とを備えていることを特徴とするケース構造である。
【発明の効果】
【０００９】
この発明によれば、第１部材が外部から衝撃を受けた際、また第２部材が外部から衝撃を受けた際に、その衝撃が第１ねじ部材および第２ねじ部材を介して筒状ねじ部材に伝わるが、この筒状ねじ部材に伝わった衝撃を緩衝部材によって吸収することができるので、衝撃が本体ケースに伝わるのを防ぐことができ、これにより耐衝撃性の高いものを提供することができる。
【図面の簡単な説明】
【００１０】
【図１】この発明を腕時計に適用した一実施形態を示した拡大正面図である。
【図２】図１に示された腕時計のＡ−Ａ矢視における要部の拡大断面図である。
【図３】図２に示された腕時計の要部におけるねじパイプを示し、（ａ）はそのねじパイプの拡大側面図、（ｂ）はそのねじパイプの拡大下面図である。
【発明を実施するための形態】
【００１１】
以下、図１〜図３を参照して、この発明を腕時計に適用した一実施形態について説明する。
この腕時計は、図１に示すように、腕時計ケース１を備えている。この腕時計ケース１の１２時側と６時側との各側部には、バンド取付部２がそれぞれ設けられている。また、この腕時計ケース１の３時側と９時側との各側部には、スイッチ部３がそれぞれ設けられている。
【００１２】
この腕時計ケース１は、図２に示すように、本体ケース４と、この本体ケース４の上部外周に配置される第１部材である上部外装部材５と、本体ケース４の下部に配置される第２部材である裏蓋６とを備えている。この場合、腕時計ケース１の上部開口部、つまり本体ケース４の上部開口部には、時計ガラス（図示せず）が取り付けられている。また、この腕時計ケース１の内部、つまり本体ケース４の内部には、時計モジュール（図示せず）が設けられている。この時計モジュールは、時計機能に必要な各種の電子部品を備えている。
【００１３】
ところで、本体ケース４は、図１および図２に示すように、合成樹脂からなり、内部に金属製の補強部材４ａが埋設されている。この本体ケース４の１時、５時、７時、１１時にそれぞれ対応する４箇所には、上下に貫通する貫通孔７がそれぞれ設けられている。また、上部外装部材５には、本体ケース４の各貫通孔７にそれぞれ対応する第１挿入孔８ａ、８ｂが上下に連続した状態で設けられている。また、裏蓋６には、第２挿入孔９が本体ケース４の各貫通孔７にそれぞれ対応して設けられている。
【００１４】
一方、本体ケース４の貫通孔７内には、図２に示すように、筒状ねじ部材である金属製のねじパイプ１０が非回転状態で配置されている。すなわち、この金属製のねじパイプ１０は、図２および図３に示すように、本体ケース４の貫通孔７内に配置されるパイプ部１１と、このパイプ部１１の上端部に設けられた頭部１２とを有し、この頭部１２の下面が本体ケース４の上面、つまり貫通孔７の上側縁部に当接するように構成されている。
【００１５】
また、このねじパイプ１０は、図２および図３に示すように、その内部に雌ねじ部１０ａがパイプ部１１から頭部１２に亘って貫通して設けられている。このねじパイプ１０の頭部１２の下部に位置するパイプ部１１の外周面には、回転止め部１３が設けられている。この回転止め部１３は、貫通孔７の上側縁部に設けられた係止凹部１４に挿入して係止されることにより、ねじパイプ１０が貫通孔７内で回転しないように構成されている。
【００１６】
この場合、ねじパイプ１０の外周面と貫通孔７の内周面との間には、図２に示すように、緩衝部材１５が設けられている。この緩衝部材１５は、ゴムやエラストマーなどの弾性材料からなり、全体が筒状に形成されている。この緩衝部材１５は、ねじパイプ１０の外周面に装着された状態で、ねじパイプ１０と共に貫通孔７内に配置されるように構成されている。この場合、緩衝部材１５の上側縁部には、ねじパイプ１０の回転止め部１３が挿入する切欠き部１５ａが設けられている。
【００１７】
ところで、上部外装部材５は、図２に示すように、金属製の上側ベゼル１６と、ウレタン樹脂などの軟質の合成樹脂製の下側ベゼル１７とを備えている。この上側ベゼル１６と下側ベゼル１７とには、本体ケース４の貫通孔７に対応する第１挿入孔８ａ、８ｂが上下に対応して設けられている。
【００１８】
この場合、上側ベゼル１６の第１挿入孔８ａは、図２に示すように、その内径が貫通孔７よりも少し小さく、かつねじパイプ１０の頭部１２の外径よりも小さく形成されている。また、下側ベゼル１７の第１挿入孔８ｂは、その内径が上側ベゼル１６の第１挿入孔８ａの内径よりも大きく、かつねじパイプ１０の頭部１２の外径よりも少し小さく形成されている。
【００１９】
また、この上部外装部材５は、図２に示すように、上側緩衝部材１８を備えている。この上側緩衝部材１８は、ゴムやエラストマーなどの弾性材料からなり、上側ベゼル１６と下側ベゼル１７との間に配置されている。この上側緩衝部材１８には、上側ベゼル１６の第１挿入孔８ａの内径とほぼ同じ大きさのねじ挿入孔１９が上側ベゼル１６の第１挿入孔８ａに対応して設けられている。
【００２０】
そして、この上部外装部材５は、図２に示すように、第１ねじ部材２０によって本体ケース４に取り付けられるように構成されている。この第１ねじ部材２０は、ねじパイプ１０の雌ねじ部１０ａに上側から螺合する雄ねじ部２０ａと、ねじパイプ１０の頭部１２の上端部に当接する首部２０ｂと、上部外装部材５の上面、つまり第１挿入孔８ａの上側縁部に当接する頭部２０ｃとを有している。
【００２１】
この場合、第１ねじ部材２０の首部２０ｂは、図２に示すように、その外径が雄ねじ部２０ａの外径よりも大きく、かつねじパイプ１０の頭部１２の外径よりも小さく形成されている。また、第１ねじ部材２０の頭部２０ｃは、その外径が上側ベゼル１６の第１挿入孔８ａの内径よりも大きく、かつねじパイプ１０の頭部１２の外径とほぼ同じ大きさに形成されている。
【００２２】
これにより、第１ねじ部材２０は、図２に示すように、上部外装部材５の上方から上側ベゼル１６の第１挿入孔８ａ、上側緩衝部材１８のねじ挿入孔１９、および下側ベゼル１７の第１挿入孔８ｂを通して、雄ねじ部２０ａがねじパイプ１０の雌ねじ部１０ａに螺合する際に、首部２０ｂが上側ベゼル１６の第１挿入孔８ａ、上側緩衝部材１８のねじ挿入孔１９、および下側ベゼル１７の第１挿入孔８ｂに挿入されて、頭部２０ｃが上側ベゼル１６の上面に当接するように構成されている。
【００２３】
また、この第１ねじ部材２０は、図２に示すように、雄ねじ部２０ａがねじパイプ１０の雌ねじ部１０ａに螺合した状態で締め付けられると、頭部２０ｃが上側緩衝部材１８を挟み付けた状態で上側ベゼル１６と下側ベゼル１７とを本体ケース４に押し付けて、首部２０ｂの下面がねじパイプ１０の頭部１２に当接し、これにより上側ベゼル１６、上側緩衝部材１８、および下側ベゼル１７を一定の間隔で押え付け、この状態で上部外装部材５を本体ケース４に対して取り付けるように構成されている。
【００２４】
一方、第２部材である裏蓋６は、図２に示すように、本体ケース４の下部に緩衝機能を有する防水リング２１を介して第２ねじ部材２２によって取り付けられるように構成されている。この場合、防水リング２１は、下側緩衝部材を兼ねるものであり、ゴムなどの弾性材料からなり、断面が楕円形状または円形状のリング状に形成されている。
【００２５】
この防水リング２１は、図２に示すように、本体ケース４の下面に設けられた環状溝４ｂ内に配置され、この状態で防水リング２１の下部が環状溝４ｂ内から下側に突出し、この突出した下部が裏蓋６の内面（図２では上面）に弾力的に圧接することにより、本体ケース４の下面と裏蓋６の内面との間の防水性を確保すると共に、緩衝部材としての機能をも果たすように構成されている。
【００２６】
また、第２ねじ部材２２は、図２に示すように、ねじパイプ１０の雌ねじ部１０ａに下側から螺合する雄ねじ部２２ａと、裏蓋６の下面、つまり第２挿入孔９の下側縁部に当接する頭部２２ｂとを有している。この第２ねじ部材２２は、雄ねじ部２２ａが裏蓋６の第２挿入孔９を通してねじパイプ１０の雌ねじ部１０ａに下側から螺合するように構成されている。
【００２７】
これにより、第２ねじ部材２２は、図２に示すように、雄ねじ部２２ａがねじパイプ１０の雌ねじ部１０ａに螺合して締め付けられると、ねじパイプ１０を引き下げて、ねじパイプ１０の頭部１２を本体ケース４の上面に押し付けることにより、ねじパイプ１０を本体ケース４に対して固定し、この状態で裏蓋６が防水リング２１を弾力的に圧縮させ、この状態で本体ケース４に対して裏蓋６を取り付けるように構成されている。
【００２８】
次に、このような腕時計のケース構造の作用について説明する。
この腕時計の腕時計ケース１を組み立てる際には、まず、本体ケース４の貫通孔７内にねじパイプ１０と緩衝部材１５を装着する。この場合には、ねじパイプ１０のパイプ部１１の外周面に筒状の緩衝部材１５を装着し、この状態でねじパイプ１０のパイプ部１１と緩衝部材１５とを本体ケース４の貫通孔７内に上側から嵌め込む。
【００２９】
このときには、ねじパイプ１０のパイプ部１１の外周面に設けられた回転止め部１３を、本体ケース４の貫通孔７の縁部に設けられた係止凹部１４に挿入させて係止させ、この状態でねじパイプ１０の頭部１２の下面を本体ケース４の貫通孔７の上側縁部に当接させる。これにより、ねじパイプ１０のパイプ部１１が本体ケース４の貫通孔７内に緩衝部材１５を介して非回転状態で取り付けられる。
【００３０】
そして、本体ケース４の上部外周に上部外装部材５を取り付ける。この場合には、予め、金属製の上側ベゼル１６と合成樹脂製の下側ベゼル１７との間に上側緩衝部材１８を配置する。このときには、上側ベゼル１６の第１挿入孔８ａと下側ベゼル１７の第１挿入孔８ｂとを対応させると共に、上側ベゼル１６の第１挿入孔８ａと下側ベゼル１７の第１挿入孔８ｂとに上側緩衝部材１８のねじ挿入孔１９を対応させる。
【００３１】
この状態で、上部外装部材５を本体ケース４の上部外周に配置する。このときには、上側ベゼル１６の第１挿入孔８ａ、上側緩衝部材１８のねじ挿入孔１９、および下側ベゼル１７の第１挿入孔８ｂをねじパイプ１０に対応させ、下側ベゼル１７の第１挿入孔８ｂの縁部をねじパイプ１０の頭部１２の縁部に対応させる。
【００３２】
そして、第１ねじ部材２０の雄ねじ部２０ａを上部外装部材の上方から上側ベゼル１６の第１挿入孔８ａ、上側緩衝部材１８のねじ挿入孔１９、および下側ベゼル１７の第１挿入孔８ｂに挿入させて、ねじパイプ１０の雌ねじ部１０ａに螺合させる。この状態で、第１ねじ部材２０を締め付けると、第１ねじ部材２０の首部２０ｂが上側ベゼル１６の第１挿入孔８ａ、上側緩衝部材１８のねじ挿入孔１９、および下側ベゼル１７の第１挿入孔８ｂに挿入して、ねじパイプ１０の頭部１２に当接すると共に、第１ねじ部材２０の頭部２０ｃが上側ベゼル１６の上面に当接する。
【００３３】
このときには、ねじパイプ１０が本体ケース４の貫通孔７内に回転止め部１３によって回転することなく配置されているので、第１ねじ部材２０の雄ねじ部２０ａをねじパイプ１０の雌ねじ部１０ａに螺着させることができる。これにより、第１ねじ部材２０の首部２０ｂがねじパイプ１０の頭部１２に押し付けられると共に、第１ねじ部材２０の頭部２０ｃが上側ベゼル１６の上面に押し付けられる。
【００３４】
この状態では、第１ねじ部材２０の首部２０ｂによって上側ベゼル１６、上側緩衝部材１８、および下側ベゼル１７が一定の間隔で押え付けられるので、軟質の合成樹脂製の下側ベゼル１７と上側緩衝部材１８とが弾力性をもって、第１ねじ部材２０の頭部２０ｃとねじパイプ１０の頭部１２との間に挟み付けられる。これにより、上部外装部材５が弾力的に本体ケース４の上部に取り付けられる。
【００３５】
一方、下部ケースである裏蓋６を本体ケース４の下部に取り付ける場合には、予め、本体ケース４の下面に設けられた環状溝４ｂに緩衝機能を有する防水リング２１を装着する。このときには、防水リング２１の下部を環状溝４ｂ内から下側に突出させた状態で、防水リング２１を本体ケース４の環状溝４ｂ内に装着する。この状態で、裏蓋６を本体ケース４の下面に配置し、裏蓋６の第２挿入孔９をねじパイプ１０のパイプ部１１の下端部に対応させる。
【００３６】
そして、第２ねじ部材２２の雄ねじ部２２ａを裏蓋６の第２挿入孔９に挿入させてねじパイプ１０の雌ねじ部１０ａに下側から螺合させる。この状態で、第２ねじ部材２２を締め付けると、第２ねじ部材２２の雄ねじ部２２ａがねじパイプ１０の雌ねじ部１０ａに螺着し、第２ねじ部材２２の頭部２２ｂが裏蓋６の第２挿入孔９の下側縁部に圧接する。このときには、第２ねじ部材２２がねじパイプ１０を引き下げて、ねじパイプ１０の頭部１２を本体ケース４の上面に押し付ける。これにより、裏蓋６が本体ケース４の下面に押し付けられ、この裏蓋６の内面が防水リング２１を弾力的に圧接する。
【００３７】
この状態では、仮に、第１ねじ部材２０を緩めても、ねじパイプ１０は、緩むことがなく、第２ねじ部材２２によってねじパイプ１０の頭部１２が本体ケース４の上面に押けられた状態を維持するので、気密性が確保される。また、第２ねじ部材２２を緩めても、第１ねじ部材２０は、その首部２０ｂがねじパイプ１０の頭部１２に押し付けられているので、緩むことがない。
【００３８】
このように、本体ケース４に上部外装部材５と裏蓋６とが取り付けられた状態では、上部外装部材５が外部から衝撃を受けた際に、上部外装部材５の上側ベゼル１６と下側ベゼル１７との間に配置された上側緩衝部材１８で衝撃を吸収すると共に、第１ねじ部材２０を介して金属製のねじパイプ１０に衝撃が伝わっても、その衝撃をねじパイプ１０の外周に設けられた緩衝部材１５によって吸収することができる。このため、上部外装部材５が外部から衝撃を受けても、その衝撃が本体ケース４に伝わることがない。
【００３９】
また、下部ケースである裏蓋６が外部から衝撃を受けた際には、緩衝機能を有する防水リング２１によって衝撃を吸収すると共に、第２ねじ部材２２を介して金属製のねじパイプ１０に衝撃が伝わっても、その衝撃をねじパイプ１０の外周に設けられた緩衝部材１５によって吸収することができる。このため、裏蓋６が外部から衝撃を受けても、その衝撃が本体ケース４に伝わることがない。
【００４０】
このように、この腕時計のケース構造によれば、貫通孔７を有する本体ケース４と、この本体ケース４の上部に配置される上部外装部材５と、本体ケース４の下部に配置される裏蓋６と、本体ケース４の貫通孔７内に非回転状態で配置され、かつ内部に雌ねじ部１０ａが設けられたねじパイプ１０と、このねじパイプ１０の外周面と本体ケース４の貫通孔７の内周面との間に配置された緩衝部材１５と、ねじパイプ１０の雌ねじ部１０ａに上側から螺合して上部外装部材５を本体ケース４に固定する第１ねじ部材２０と、ねじパイプ１０の雌ねじ部１０ａに下側から螺合して裏蓋６を本体ケース４に固定する第２ねじ部材２２とを備えているので、外部からの衝撃を受けても、その衝撃を吸収できる。
【００４１】
すなわち、この腕時計のケース構造では、上部外装部材５が外部から衝撃を受けた際、また裏蓋６が外部から衝撃を受けた際に、その衝撃が第１ねじ部材２０および第２ねじ部材２２を介してねじパイプ１０に伝わっても、このねじパイプ１０に伝わった衝撃を緩衝部材１５によって良好に吸収することができる。このため、衝撃が本体ケース４に伝わるのを確実に防ぐことができると共に、本体ケース４が合成樹脂で形成されていても、耐衝撃性の高いものを提供することができる。また、第１ねじ部材２０と第２ねじ部材２２とが共通のねじパイプ１０に取り付けられているので、省スペース化をも図ることができる。
【００４２】
また、この腕時計のケース構造では、ねじパイプ１０は、本体ケース４の貫通孔７の縁部に設けられた係止凹部１４に係止される回転止め部１３を備えていることにより、第１ねじ部材２０の雄ねじ部２０をねじパイプ１０の雌ねじ部１０ａに螺合させて締め付ける際、および第２ねじ部材２２の雄ねじ部２２ａをねじパイプ１０の雌ねじ部１０ａに螺合させて締め付ける際に、ねじパイプ１０が本体ケース４の貫通孔７内で回転するのを確実に防ぐことができ、これにより第１ねじ部材２０および第２ねじ部材２２をねじパイプ１０に確実にかつ強固に締め付けることができる。
【００４３】
この場合、ねじパイプ１０は、本体ケース４の貫通孔７内に挿入するパイプ部１１と、このパイプ部１１の上端部に設けられて本体ケース４の上面、つまり貫通孔７の上側縁部に当接する頭部１２とを備えていることにより、第２ねじ部材２２をねじパイプ１０に下側から螺入させて締め付けることにより、ねじパイプ１０を本体ケース４の貫通孔７内に確実に固定することができる。このため、本体ケース４に対して上部外装部材５を固定する第１ねじ部材２０を緩めても、ねじパイプ１０が本体ケース４の貫通孔７内に固定されて機密性を保った状態を維持させることができる。
【００４４】
また、この腕時計のケース構造では、第１ねじ部材２０が、ねじパイプ１０の雌ねじ部１０ａに螺合する雄ねじ部２０ａと、ねじパイプ１０の上端部に当接する首部２０ｂと、上部外装部材５の上面に当接する頭部２０ｃとを有していることにより、首部２０ｂを上部外装部材５の第１挿入孔８ａ、８ｂに挿入させ、かつ雄ねじ部２０ａをねじパイプ１０の雌ねじ部１０ａに螺合させた状態で、第１ねじ部材２０を締め付けた際に、首部２０ｂがねじパイプ１０の頭部１２に当接して、第１ねじ部材２０の頭部２０ｃが上部外装部材５を確実に押え付けることができる。
【００４５】
すなわち、第１ねじ部材２０の首部２０ｂがねじパイプ１０の頭部１２に当接して、第１ねじ部材２０の頭部２０ｃが上部外装部材５に当接した状態では、首部２０ｂによって上部外装部材５を一定の間隔で押し付けることができるので、上部外装部材５を本体ケース４に対して良好に取り付けることができる。このため、裏蓋６を本体ケース４に対して固定する第２ねじ部材２２を緩めても、第１ねじ部材２０が緩むことがなく、第１ねじ部材２０によって上部外装部材５を本体ケース４に対して良好にかつ確実に固定させることができる。
【００４６】
また、この腕時計のケース構造では、上部外装部材５が金属製の上側ベゼル１６と合成樹脂製の下側ベゼル１７とを備えていることにより、第１ねじ部材２０の首部２０ｂによって上部外装部材５を押し付ける際に、下側ベゼル１７をねじパイプ１０の頭部１２および本体ケース４の上面に一定の間隔で押え付けることができる。この場合、下側ベゼル１７がウレタン樹脂などの軟質の合成樹脂であることにより、下側ベゼル１７を良好に弾性変形させて押えることができ、これにより上部外装部材５が外部から衝撃を受けた際に、その衝撃を下側ベゼル１７の弾力によって軽減することができる。
【００４７】
また、上部外装部材５は、上側緩衝部材１８を備えていることにより、第１ねじ部材２０の首部２０ｂによって上部外装部材５を一定の間隔で押し付ける際に、上側緩衝部材１８によって上部外装部材５を本体ケース４に弾力的に押し付けることができるので、上部外装部材５が外部から衝撃を受けた際に、その衝撃を上側緩衝部材１８によって吸収することができ、これにより上部外装部材５の衝撃が本体ケース４に伝わるのを軽減することができる。
【００４８】
この場合、上側緩衝部材１８は、上部外装部材５の金属製の上側ベゼル１６と軟質の合成樹脂製の下側ベゼル１７との間に配置されていることにより、上部外装部材５の金属製の上側ベゼル１６が外部から衝撃を受けた際に、その衝撃を上側緩衝部材１８と軟質の合成樹脂製の下側ベゼル１７との両方によって確実にかつ良好に吸収することができ、これにより上部外装部材５の衝撃が本体ケース４に伝わるのを確実に防ぐことができる。
【００４９】
さらに、この腕時計の腕時計ケース１では、本体ケース４と裏蓋６との間に緩衝部材を兼ねる防水リング２１が配置されていることにより、裏蓋６が外部から衝撃を受けた際に、その衝撃を防水リング２１で吸収することができ、これにより裏蓋の衝撃が本体ケース４に伝わるのを軽減することができると共に、防水リング２１によって裏蓋６と本体ケース４との間の防水性をも確保することができる。
【００５０】
なお、上述した実施形態では、上部外装部材５が金属製の上側ベゼル１６と軟質の合成樹脂製の下側ベゼル１７とで構成されている場合について述べたが、これに限らず、例えばウレタン樹脂などの軟質の合成樹脂製のベゼルのみで上部外装部材５を形成しても良い。この場合には、必ずしも上側緩衝部材１８を設ける必要はない。また、これに限らず、金属製のベゼルのみで上部外装部材５を形成しても良い。この場合には、上部外装部材５およびねじパイプ１０の頭部１２と金属製のベゼルとの間に上側緩衝部材１８を設ければ良い。
【００５１】
また、上述した実施形態では、本体ケース４と裏蓋６との間に配置された防水リング２１が下側緩衝部材を兼ねた構成である場合について述べた、必ずしも防水リング２１が下側緩衝部材を兼ねる必要はなく、本体ケース４と裏蓋６との間に防水リング２１のほかに下側緩衝部材を別に設けた構成であっても良い。
【００５２】
さらに、上述した実施形態では、腕時計に適用した場合について述べたが、必ずしも腕時計である必要はなく、例えばトラベルウオッチ、目覚まし時計、置き時計、掛け時計などの各種の指針式の時計に適用することができるほか、必ずしも時計に限られる必要はなく、携帯電話機や携帯情報端末機、電子辞書などの電子機器の機器ケースにも広く適用することができる。
【００５３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５４】
（付記）
請求項１に記載の発明は、貫通孔を有する本体ケースと、この本体ケースの上部に配置され、かつ前記貫通孔に対応する第１挿入孔を有する第１部材と、前記本体ケースの下部に配置され、かつ前記貫通孔に対応する第２挿入孔を有する第２部材と、前記本体ケースの前記貫通孔内に配置され、かつ内部にねじ孔が設けられた筒状ねじ部材と、この筒状ねじ部材の外周面と前記本体ケースの前記貫通孔の内周面との間に配置された緩衝部材と、前記筒状ねじ部材に上側から螺合して前記第１部材を前記本体ケースに対して固定する第１ねじ部材と、前記筒状ねじ部材に下側から螺合して前記第２部材を前記本体ケースに対して固定する第２ねじ部材とを備えていることを特徴とするケース構造である。
【００５５】
請求項２に記載の発明は、請求項１に記載のケース構造において、前記筒状ねじ部材は、前記本体ケースの前記貫通孔の縁部に設けられた係止部に係止される回転止め部を備えていることを特徴とするケース構造である。
【００５６】
請求項３に記載の発明は、請求項１または請求項２に記載のケース構造において、前記筒状ねじ部材は、前記本体ケースの前記貫通孔内に挿入するパイプ部と、このパイプ部の上端部に設けられて前記本体ケースの上面に当接する頭部とを備えていることを特徴とするケース構造である。
【００５７】
請求項４に記載の発明は、請求項１〜請求項３のいずれかに記載のケース構造において、前記第１ねじ部材は、前記筒状ねじ部材の前記ねじ孔に螺合するねじ部と、前記筒状ねじ部材の上端部に当接する首部と、前記第１部材の上面に当接する頭部とを有していることを特徴とするケース構造である。
【００５８】
請求項５に記載の発明は、請求項１〜請求項４のいずれかに記載のケース構造において、前記第１部材は、金属製の第１ベゼルと合成樹脂製の第２ベゼルとを備えていることを特徴とするケース構造である。
【００５９】
請求項６に記載の発明は、請求項１〜請求項５のいずれかに記載のケース構造において、前記第１部材は、第１緩衝部材を備えていることを特徴とするケース構造である。
【００６０】
請求項７に記載の発明は、請求項１〜請求項６のいずれかに記載のケース構造において、前記本体ケースと前記第２部材との間には、第２緩衝部材が配置されていることを特徴とするケース構造である。
【符号の説明】
【００６１】
１  腕時計ケース
４  本体ケース
５  上部外装部材
６  裏蓋
７  貫通孔
８ａ、８ｂ  第１挿入孔
９  第２挿入孔
１０  ねじパイプ
１０ａ  雌ねじ部
１１  パイプ部
１２  頭部
１３  回転止め部
１４  係止凹部
１５  緩衝部材
１６  上側ベゼル
１７  下側ベゼル
１８  上側緩衝部材
１９  ねじ挿入孔
２０  第１ねじ部材
２０ａ  雄ねじ部
２０ｂ  首部
２０ｃ  頭部
２１  防水リング
２２  第２ねじ部材
２２ａ  雄ねじ部
２２ｂ  頭部
【図１】
2014153190.tif 000003
【図２】
2014153190.tif 000004
【図３】
2014153190.tif 000005